【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】
ａ）０．１重量％ないし９９．９重量％の次式（Ｉ）
【化１】
2002534542.tif 000001
で表されるブロックコポリマー（式中、Ｉｎは、炭素原子数１ないし８のハロゲン化アルキル、炭素原子数６ないし１５のハロゲン化アルアルキル、炭素原子数２ないし８のハロアルキルエステル、アレーン塩化スルホニル、ハロアルカンニトリル、α−ハロアクリレート、及びハロラクトンからなる群より選ばれる重合開始剤の重合開始フラグメントを表し；及び
ｐは、１又は２であり；
Ａ及びＢは、極性の異なる、及びエチレン性不飽和モノマーの反復する単位からなるポリマーブロックを表し及び
ここで、極性の違いが、ポリマーブロックＡ及びＢと官能性モノマーの異なる量との共重合により得られ、
及びここで、ポリマーブロックＢが、ポリマーブロックＡと比較してより親水性であり、及びより多くの官能基を所有するモノマーからなるものであって、該モノマーが、アクリル又は炭素原子数１ないし４のアルキルアクリル酸、又はそれらの無水物及び塩類、アクリル又は炭素原子数１ないし４のアルキルアクリル酸−モノ−又はジ−炭素原子数１ないし４のアルキルアミノ−炭素原子数２ないし４のアルキルエステル及びそれらの塩類、アクリル又は炭素原子数１ないし４のアルキルアクリル酸−ヒドロキシ−炭素原子数２ないし４のアルキルエステル、アクリル又は炭素原子数１ないし４のアルキルアクリル酸−（炭素原子数１ないし４のアルキル）3シリルオキシ−炭素原子数２ないし４のアルキルエ
ステル、アクリル又は炭素原子数１ないし４のアルキルアクリル酸−（炭素原子数１ないし４のアルキル）3シリル−炭素原子数２ないし４のアルキルエステル、アクリル又は炭
素原子数１ないし４のアルキルアクリル酸−複素環−炭素原子数２ないし４のアルキルエステル及びそれらの塩類、炭素原子数１ないし２４のアルコキシル化ポリ−炭素原子数２ないし４のアルキレングリコールアクリル又は炭素原子数１ないし４のアルキルアクリル
酸エステル、アクリル又は炭素原子数１ないし４のアルキルアクリルアミド、アクリル又は炭素原子数１ないし４のアルキルアクリルモノ−又は−ジ−炭素原子数１ないし４のアルキルアミド、アクリル又は炭素原子数１ないし４のアルキルアクリル−ジ−炭素原子数１ないし４のアルキルアミノ−炭素原子数２ないし４のアルキルアミド及びそれらの塩類、アクリル又は炭素原子数１ないし４のアルキルアクリル−アミノ−炭素原子数２ないし４のアルキルアミド、アクリロニトリル、メタクリロニトリル、４−アミノスチレン及びその塩類、ジ−炭素原子数１ないし４のアルキルアミノスチレン及びその塩類、ビニル基置換された複素環化合物、スチレンスルホン酸及びその塩類、安息香酸ビニル及び塩類、ビニルホルムアミド及びスルホン酸アミド誘導体、からなる群より選ばれ、
ｘ及びｙは、０以上の数字であり、ポリマーブロックＡ及びＢ中のモノマーの反復する単位の数を定義し；
Ｘは、ポリマー鎖の末端基を表し；及び
ｑは、０以上の数字を表す。）；及び
ｂ）０．１ないし９９．９重量％の分散性無機又は有機顔料粒子
を含む組成物の調製方法であって、
該方法が、重合開始剤次式（ＩＩ）
【化２】
2002534542.tif 000002
（式中、Ｉｎ、ｐ及びｑは上記に定義されているとおりであり、Ｘはハロゲン原子を表す）、及び制御された原子ラジカル重合を活性化することができる触媒的に効果的な量の触媒の存在下、フラグメントＡ及びＢを、原子移動重合（ＡＴＲＰ）により共重合させること、及びハロゲンＸを異なるポリマー鎖末端基Ｘ′に置換すること、及び分散性顔料粒子、及び所望によりバインダー、充填剤又は他の慣用的な添加剤を添加することよりなる、前記調製方法。
【請求項２】
ポリマーブロックＡ又はＢそれぞれの中の官能性モノマーの含有量がもう一方のポリマーブロックと少なくとも２０重量％異なり、及びポリマーブロックＢ中の官能性ポリマーの含有量がポリマーブロックＡと比較して少なくとも２０重量％高い、請求項１に記載の組成物の調整方法。
【請求項３】
Ａ及びＢが、スチレン、アクロレイン、及びアクリル又は炭素原子数１ないし４のアルキルアクリル酸−炭素原子数１ないし２４のアルキルエステルからなる群より選ばれる重合性モノマーの反復する単位を含むポリマーブロックを表す、請求項１に記載の組成物の調製方法。
【請求項４】
ポリマーブロックＡ又はＢもしくは両方が、グリシジルアクリル又は炭素原子数１ないし４のアルキルアクリル酸エステル、２−イソシアネートエチルアクリル又は炭素原子数１ないし４のアルキルアクリル酸エステル、及び炭素原子数３ないし８のアルキル−又は炭素原子数３ないし８のアルケニル−ジカルボン酸無水物、からなる群より選ばれる反応性の極性モノマーとの反応生成物である請求項１に記載の組成物の調製方法。
【請求項５】
前記成分ｂ）の分散性有機顔料粒子が、アゾ、ジスアゾ、ナフトール、ベンズイミダゾロン、アゾ縮合物、金属錯体、イソインドリノン、及びイソインドリン顔料からなるアゾ顔料群、キノフタロン顔料、ジオキサジン顔料、及びインディゴ、チオインディゴ、キナクリドン、フタロシアニン、ペリレン、ペリオノンからなる多環式顔料群、アミノアントラキノン又はヒドロキシアントラキノン、アントラピリミジン、インダントロン、フラバントロン、ピラントロン、アンタントロン、イソビオラントロンのようなアントラキノン
、ジケトピロールピロール、及びカルバゾール、顔料及び真珠光沢のフレーク、から選ばれる請求項１に記載の組成物の調製方法。
【請求項６】
前記成分ｂ）の分散性無機顔料粒子が、アルミニウム、酸化アルミニウム、酸化ケイ素、及びケイ酸塩、酸化鉄（III）、酸化クロム（III）、酸化チタン（IV）、酸化ジルコニウム（IV）、酸化亜鉛、硫酸亜鉛、リン酸亜鉛、混合した金属リン酸、硫酸モリブデン、硫酸カドミウム、カーボンブラック又はグラファイト、バナジン酸塩、クロム酸塩及びモリブデン酸塩、及びそれらの混合物、結晶体、又は変性体、からなる群より選ばれる請求項１に記載の組成物の調製方法。
【請求項７】
結合剤、及び慣用的な添加剤を他に含む請求項１に記載の組成物の調製方法。
【請求項８】
前記慣用的な添加剤が、界面活性剤、安定剤、消泡剤、染料、可塑剤、チキソトロープ剤、乾燥触媒、皮張り防止剤及び均展剤からなる群より選ばれる請求項７に記載の組成物の調製方法。
【請求項９】
ａ）０．１ないし９９．９重量％のブロックコポリマー（Ｉ）；
ここで、Ｉｎ、Ｘ、ｐ、及びｑは、請求項１に定義されているとおりであって、
Ａは、アクリル−、又はメタクリル酸−炭素原子数１ないし２４のアルキルエステルの反復する単位からなるポリマーブロックを表し；
Ｂは、官能基を有する少なくとも５０重量％のモノマーと共重合されているアクリル−、又はメタクリル酸−炭素原子数１ないし２４のアルキルエステルの反復する単位からなるポリマーブロックであって、該モノマーは、アクリル又はメタクリル酸、及びそれらの塩類、アクリル又はメタクリル酸−モノ−又は−ジ−炭素原子数１ないし４のアルキルアミノ−炭素原子数２ないし４のアルキルエステル、及びそれらの塩類、アクリル又はメタクリル酸−ヒドロキシ−炭素原子数２ないし４のアルキルエステル、アクリル又はメタクリルアミド、アクリル又はメタクリル−モノ−又は−ジ−炭素原子数１ないし４のアルキルアミド、アクリル又はメタクリル−アミノ−炭素原子数２ないし４のアルキルアミド、及びビニルピロリドン、ビニルイミダゾール、又はそれらの塩類、及びビニルカルバゾールからなる群より選ばれるビニル基置換された複素環化合物、からなる群より選ばれるような前述ポリマーブロックを表し；
ｘ及びｙは０以上の数字であり、Ａ及びＢ中のモノマーの反復する単位の数を定義しており；及び
Ｘはポリマー鎖の末端基を表し；及び
ｂ）０．１ないし９９．９重量％の分散性顔料粒子からなる請求項１に記載の組成物の調製方法。
【請求項１０】
ａ）式（Ｉ）のブロックコポリマー、ここでＩｎ、Ａ、Ｂ、Ｘ、ｘ、ｙ、ｐ、及びｑは、請求項１で定義されているとおりであり；及び
ｂ）分散された顔料粒子；
及び水、有機溶媒及びそれらの混合物からなる群より選ばれる液体キャリアー、からなる分散相を含む顔料分散系の調整方法。